(57)【要約】      （修正有）【課題】受信側での音声映像ファイルとメタデータファイルのファイル管理を容易にする伝送システムを提供する。【解決手段】伝送システムは、音声映像ファイルとメタデータファイルをマイクロ波回線で送信する送信設備と、マイクロ波回線を受信する受信設備とを備える。送信設備は、音声映像ファイルとメタデータファイルから送信ファイルを生成する第１のファイル伝送装置を有する。受信設備は、マイクロ波回線を受信して受信ファイルを出力するＦＰＵ受信装置と、受信ファイルから音声映像ファイルとメタデータファイルに分離する第２のファイル伝送装置を有する。【選択図】図１
2018182368.tif 000002
【特許請求の範囲】
【請求項１】
音声映像ファイルとメタデータファイルをマイクロ波回線で送信する送信設備と、前記マイクロ波回線を受信する受信設備とを備え、
前記送信設備は、前記音声映像ファイルと前記メタデータファイルから送信ファイルを生成する第１のファイル伝送装置を有し、
前記受信設備は、前記マイクロ波回線を受信して受信ファイルを出力するＦＰＵ受信装置と、前記受信ファイルから音声映像ファイルとメタデータファイルに分離する第２のファイル伝送装置を有することを特徴とする伝送システム。
【請求項２】
請求項１に記載の伝送システムであって、
前記受信設備は、さらに、前記音声映像ファイルと前記メタデータファイルを記憶するファイル蓄積サーバと、前記音声映像ファイルと前記メタデータファイルを管理するファイル管理装置と、前記メタデータファイルを表示する表示装置を有し、
前記表示装置は、複数のメタデータファイルを一覧表示することを特徴とする伝送システム。
【発明の詳細な説明】
【技術分野】
【０００１】
本発明は、映像伝送システムに関するものである。
【背景技術】
【０００２】
従来、放送局等では、取材で得た映像データと音声データはＦＰＵ（Field  Pickup  Unit）等を用いて送信設備から受信設備へマイクロ波回線で伝送し、メタデータ等は別回線で伝送していた。
図３は従来の伝送システムの概略を示す図である。
従来の伝送システムは、取材で得た音声映像ファイル（素材）を送信設備３００から本社等にある受信設備３２０にマイクロ波回線３１１を用いて伝送している。
音声映像ファイルに関連した撮影日時、撮影者、データ形式等のメタデータは、マイクロ波回線３１１とは別回線の例えば、有線回線３１２または公衆無線回線等を用いて伝送している。
音声映像ファイルは、撮像装置３０１で撮影、集音され、ＦＰＵ送信装置３０４からマイクロ波回線３１１を用いて受信設備３２０に伝送されている。
マイクロ波回線３１１を用いて伝送された音声映像ファイルは、受信設備３２０のＦＰＵ受信装置３２１で受信され、ファイル蓄積サーバ３２３に蓄積される。
【０００３】
音声映像ファイルに関連したメタデータは、メタデータ入力装置３０３で入力され、メタデータファイルとしてメタデータ送信装置３０５から有線回線３１２等を用いて受信設備３２０に伝送されている。
有線回線３１２等を用いて伝送されたメタデータファイルは、受信設備３２０のメタデータ受信装置３２６で受信され、ファイル蓄積サーバ３２３に蓄積される。
ファイル管理装置３２４は、メタデータファイルをファイル蓄積サーバ３２３から読出し、表示装置３２５にメタデータを表示する。
【０００４】
先行技術文献としては、例えば、特許文献１に、映像信号、音声信号をマイクロ周波数帯に変調し送信する送信設備からの送信信号を受信設備で受信する発明が開示されている。
また、非特許文献１としては、テレビジョン放送番組素材伝送用可搬形ＯＦＤＭ方式デジタル無線伝送システムの標準規格であるＡＲＩＢ  ＳＴＤ−Ｂ３３がある。
【先行技術文献】
【特許文献】
【０００５】
【特許文献１】特開２０００−３３８２１３号公報
【０００６】
【非特許文献１】ＡＲＩＢ  ＳＴＤ−Ｂ３３  １．２版、「テレビジョン放送番組素材伝送用可搬形ＯＦＤＭ方式デジタル無線伝送システム」、一般社団法人電波産業会
【発明の概要】
【発明が解決しようとする課題】
【０００７】
前述の従来技術における伝送システムは、音声映像ファイルとメタデータファイルを別々の回線で伝送しているため、受信設備側でファイルの管理をする上で、音声映像ファイルとメタデータファイルの照合および関連付けの作業を要していた。
本発明の目的は、受信側での音声映像ファイルとメタデータファイルのファイル管理を容易にすることにある。
【課題を解決するための手段】
【０００８】
本発明の伝送システムは、音声映像ファイルとメタデータファイルをマイクロ波回線で送信する送信設備と、マイクロ波回線を受信する受信設備とを備え、送信設備は音声映像ファイルとメタデータファイルから送信ファイルを生成する第１のファイル伝送装置を有し、受信設備はマイクロ波回線を受信して受信ファイルを出力するＦＰＵ受信装置と、受信ファイルから音声映像ファイルとメタデータファイルに分離する第２のファイル伝送装置を有することを特徴とする。
【０００９】
また、受信設備は、さらに、音声映像ファイルとメタデータファイルを記憶するファイル蓄積サーバと、音声映像ファイルとメタデータファイルを管理するファイル管理装置と、メタデータファイルを表示する表示装置を有し、表示装置は複数のメタデータファイルを一覧表示することが好ましい。
【発明の効果】
【００１０】
本発明によれば、受信側での音声映像ファイルとメタデータファイルのファイル管理を容易にすることができる。
また、受信側でメタデータファイルを表示することができる。
【図面の簡単な説明】
【００１１】
【図１】本発明の一実施例に係る伝送システムの概略を示す図である。
【図２】本発明の一実施例に係る伝送システムの表示画面を示す図である。
【図３】従来の伝送システムの概略を示す図である。
【発明を実施するための形態】
【００１２】
以下、本発明の実施形態について図面を参照して詳細に説明する。
図１は本発明の一実施例に係る伝送システムの概略を示す図である。
図１において、伝送システムは、送信設備１００と受信設備１２０で構成されている。
送信設備１００は、撮像装置１０１、ファイル伝送装置１０２、メタデータ入力装置１０３、ＦＰＵ（Field  Pickup  Unit）送信装置１０４で構成されている。
【００１３】
撮像装置１０１は、取材等で撮影と集音を行って音声映像ファイル（映像データ、音声データ）（素材）を生成して、ファイル伝送装置１０２に送出する。なお、音声映像ファイルは映像データのみ又は音声データのみでもよい。
【００１４】
メタデータ入力装置１０３は、撮影日時、撮影場所、撮影担当者、ファイル名、編集担当者のメールアドレス等のメタデータを入力する装置であり、入力されたメタデータをファイル伝送装置１０２に送出する。
なお、メタデータは、予め設定した情報を基に撮像装置１０１内で自動的に生成してもよい。
【００１５】
ファイル伝送装置１０２は、入力されたメタデータをＴＳ（Transport  Stream）形式の信号に重畳して、音声映像ファイル（素材）と共に送信ファイルとしてＦＰＵ送信装置１０４に送出する。
なお、ファイル伝送装置１０２は、送信ファイルをＦＰＵ送信装置１０４に送出後、メタデータに基づいた処理、例えば、メール送信等を行ってもよい。
【００１６】
ＦＰＵ送信装置１０４は、入力された送信ファイルから、例えば、ＡＲＩＢ  ＳＴＤ−Ｂ３３（非特許文献１）に適合したＲＦ（Radio  Frequency）信号を生成し、マイクロ波回線１１１を用いて受信設備１２０に伝送する。
【００１７】
受信設備１２０は、ＦＰＵ受信装置１２１、ファイル伝送装置１２２、ファイル蓄積サーバ１２３、ファイル管理装置１２４、表示装置１２５で構成されている。
ＦＰＵ受信装置１２１は、受信したＲＦ信号に対して復号化処理等を行って得た受信ファイルをファイル伝送装置１２２に送出する。
【００１８】
ファイル伝送装置１２２は、入力された受信ファイルから音声映像ファイル（素材）とメタデータを分離し、ファイル蓄積サーバ１２３に送出する。
ファイル蓄積サーバ１２３は、音声映像ファイルとメタデータを蓄積する。
【００１９】
ファイル管理装置１２４は、操作者から指定されたメタデータをファイル蓄積サーバ１２３から読出し、表示装置１２５に出力する。
なお、ファイル管理装置１２４は、メタデータに新たな情報の追加や編集を行ってもよい。
ファイル管理装置１２４は、ＰＣ（Personal  Computer）等でもよい。
表示装置１２５は、メタデータ等を表示する。
【００２０】
次に、ファイル伝送装置を使用したメタデータ表示方式について図２を用いて説明する。
図２は本発明の一実施例に係る伝送システムの表示画面を示す図である。
図２の表示画面２００は、ファイル管理装置１２４が表示装置１２５に出力した映像信号を表示したものである。
【００２１】
表示画面２００は、主にメタデータ情報一覧２１０を表示する。
メタデータ情報一覧２１０は、例えば、撮影日時２１１、撮影場所２１２、撮影担当者２１３、ファイル名２１４を表示する。
なお、メタデータ情報一覧２１０には、編集担当者のメールアドレスを表示してもよい。編集担当者のメールアドレスを表示することにより、ファイル受信完了時に編集担当者に通知することが可能となる。
【００２２】
次に、表示画面２００上での操作について説明する。
なお、操作は図示していないポインティングデバイス（マウス）またはタッチパネルとなっている表示画面で行うことができる。
表示画面２００は、メタデータ情報表示アイコン２３１が押下されると、メタデータ情報一覧２１０を表示する。
【００２３】
表示画面２００は、メタデータ情報一覧２１０の一つの項目が選択され、画像表示アイコン２３２が押下されると、画像表示２２０上にメタデータ情報に関連した画像を表示する。なお、画像と共にタイムコードを重畳表示してもよい。
【００２４】
また、表示画面２００は、メタデータ情報一覧２１０の一つの項目が選択され、メタデータ＋画像表示アイコン２３３が押下されると、画像表示２２０上にメタデータ情報とメタデータ情報に関連した画像を表示する。
【００２５】
さらに、表示画面２００は、受信設備１２０が受信中のメタデータ情報を表示してもよい。
【００２６】
本発明の実施形態である伝送システムは、受信側での音声映像ファイルとメタデータファイルのファイル管理を容易にすることができる。
【００２７】
以上、本発明の一実施形態について詳細に説明したが、本発明は上述した実施形態に限定されるものではなく、本発明の趣旨を逸脱しない範囲で種々変更して実施することができる。
【産業上の利用可能性】
【００２８】
送信設備側で音声映像ファイルにメタデータファイルを重畳してマイクロ回線を用いて伝送することによって、受信側での音声映像ファイルとメタデータファイルのファイル管理を容易にする用途に適用できる。
【符号の説明】
【００２９】
１００：送信設備、１０１：撮像装置、１０２：ファイル伝送装置、１０３：メタデータ入力装置、１０４：ＦＰＵ送信装置、１１１：マイクロ波回線、１２０：受信設備、１２１：ＦＰＵ受信装置、１２２：ファイル伝送装置、１２３：ファイル蓄積サーバ、１２４：ファイル管理装置、１２５：表示装置、３００：送信設備、３０１：撮像装置、３０３：メタデータ入力装置、３０４：ＦＰＵ送信装置、３１１：マイクロ波回線、３１２：有線回線、３２０：受信設備、３２１：ＦＰＵ受信装置、３２３：ファイル蓄積装置、３２４：ファイル管理装置、３２５：表示装置。
【図１】
2018182368.tif 000003
【図２】
2018182368.tif 000004
【図３】
2018182368.tif 000005